(57)【要約】【課題】大量の汚物を収納しても袋が破損して汚物が漏出することなく、且つ、抗菌作用が長期間にわたり保持される汚物処理袋を、収納性を損なうことなく低コストにて提供すること。【解決手段】上端１ｂと下端１ｃが開口した状態にある袋体１は、その内部に汚物の水分を吸収するための吸水性シート２が二つ折りの状態で熱圧着等により固着されており、その下部に鍋底状に連続する第１の接合部３が設けられ、更にその下部に直線状の第２の接合部が設けられる。【選択図】図１
0003180962.tif 000002
【実用新案登録請求の範囲】
【請求項１】
内部に吸水性シートが二つ折りの状態で固着されている汚物処理袋において、
（１）中央部が前記吸水性シートの折り畳み部に沿ってその下部に形成され、両端部が袋体の開口部寄り斜め方向に袋体の側部まで延設されている第１の接合部と、
（２）前記第１の接合部の下部に形成され、前記中央部と平行して前記袋体の両側部を結ぶよう直線状に設けられている第２の接合部、
とを有することを特徴とする汚物処理袋。
【請求項２】
内部に吸水性シートが二つ折りの状態で固着されている汚物処理袋において、
（１）中央部が前記吸水性シートの折り畳み部に沿ってその下部に形成され、両端部が袋体の開口部寄り斜め方向に袋体の側部まで延設されている第１の接合部と、
（２）前記第１の接合部の下部に形成され、該第１の接合部と全体が平行して設けられている第２の接合部、
とを有することを特徴とする汚物処理袋。
【請求項３】
前記袋体はポリエチレンなどのプラスチック樹脂に銀などの抗菌性金属を練り込んだ合成素材であることを特徴とする請求項１又は請求項２に記載の汚物処理袋。
【請求項４】
前記袋体の内部は銀などの抗菌性金属を水などの溶剤に分散させた抗菌剤によりスプレー加工又はコーティング加工が施してあることを特徴とする請求項１又は請求項２に記載の汚物処理袋。
【考案の詳細な説明】
【技術分野】
【０００１】
本考案は、災害・介護・レジャーなどの場面で用いられる汚物処理袋に関するものである。
【背景技術】
【０００２】
従来の汚物処理袋としては、出願人が開発した特許第２９７９４７６号の方法によって製造される汚物処理袋や実用新案登録第３０６２１８６号に係る汚物処理袋があり、袋体の下端を熱圧着や接着等により斜め方向に接合した構成を初めて採用し、また、利用後に開口端部を袋体の開口部を閉じる締結体として切り離せるようにした構成を最初に採用したものとして知られている。これらに追随する形で似通った構成の製品が複数の会社によって製造され、市場に出回っているのが現状である。
【０００３】
斯かるところ、東日本大震災という未曾有の大災害が発生し、また、少子高齢化の波が押し寄せるなか、今後に備える意味でも、これら従来製品の性能を更に高める必要性が生ずるに至った。すなわち、災害時には下水やし尿処理設備が崩壊され、一時に多くの被災者が仮設トイレや簡易トイレを利用するため、それと共に使用される汚物処理袋は容量オーバーとなって熱圧着等による接合部が剥がれ、汚物が外部に漏出してしまうのではないかという懸念があった。また、汚物を収納した汚物処理袋は回収車が来るまで所定の場所で保管することになるが、災害により道路が寸断された場合は回収までの期間が長期化するため、その間に接合部が剥離して汚物が漏出してしまうのではないかとの懸念があった。このような懸念は介護の場面でも同様である。
【０００４】
斯かるところ、災害や介護の場面で利用された汚物処理袋を片付けるのは消防士やボランティア、介護者や家族であるため、これら汚物処理に従事する人達の健康面を考慮することが最も重要である。そのため、汚物処理袋が容易に破損しないようにし、且つ、細菌感染等のリスクを排除して衛生的に汚物処理に従事できるようにすることが、二次被害・三次被害の拡大を防ぐためには必須である。
【０００５】
この改善策として、汚物処理袋に用いる防水性シートをより強度の高い厚手のものにしたり、吸水性シートに抗菌剤を混合することが考えられるが、より強度の高い防水性シートにすることでコストが高くなったり、厚みが増すために嵩んで収納し難くなるといった問題点があった。また、抗菌剤を吸水性シートに混入することは既に行われているが、災害時や緊急時まで長期にわたって保管する内に抗菌作用が減じてしまうといった問題があった。そのため、来るべき災害や緊急事態に備えるためには、長期にわたり抗菌効果を持続させる必要もあった。
【先行技術文献】
【特許文献】
【０００６】
【特許文献１】特許第２９７９４７６号公報
【特許文献２】実用新案登録第３０６２１８６号公報
【考案の概要】
【考案が解決しようとする課題】
【０００７】
解決しようとする問題点は、大量の汚物を収納しても袋が破損して汚物が漏出することなく、且つ、抗菌作用が長期間にわたり保持される汚物処理袋を、収納性を損なうことなく低コストにて提供する点にある。
【課題を解決するための手段】
【０００８】
本考案は、上の課題を解決するため、内部に吸水性シートが二つ折りの状態で固着されている汚物処理袋において、（１）中央部が前記吸水性シートの折り畳み部に沿ってその下部に形成され、両端部が袋体の開口部寄り斜め方向に袋体の側部まで延設されている第１の接合部と、（２）前記第１の接合部の下部に形成され、前記中央部と平行して前記袋体の両側部を結ぶよう直線状に設けられている第２の接合部とを有する汚物処理袋を提案する。
【０００９】
本考案はまた、上の課題を解決するため、内部に吸水性シートが二つ折りの状態で固着されている汚物処理袋において、（１）中央部が前記吸水性シートの折り畳み部に沿ってその下部に形成され、両端部が袋体の開口部寄り斜め方向に袋体の側部まで延設されている第１の接合部と、（２）前記第１の接合部の下部に形成され、該第１の接合部と全体が平行して設けられている第２の接合部とを有する汚物処理袋も提案する。
【００１０】
本考案では更に、請求項１又は請求項２に記載の汚物処理袋であって、前記袋体はポリエチレンなどのプラスチック樹脂に銀などの抗菌性金属を練り込んだ合成素材である汚物処理袋も提案する。
【００１１】
本考案では更に、請求項１又は請求項２に記載の汚物処理袋であって、前記袋体の内部は銀などの抗菌性金属を水などの溶剤に分散させた抗菌剤によりスプレー加工又はコーティング加工が施してある汚物処理袋についても提案する。
【考案の効果】
【００１２】
被災地では上下水の機能をはじめトイレなどのし尿処理設備そのものが破壊され、物資などの供給も絶たれるため、簡易又は仮設のトイレでどれだけの被災者が用を足せるかが緊急的な問題となる。また、災害により道路が寸断された場合は、大量の汚物を収納した袋は回収車が到着するまで所定の場所に運んで保管しておかねばならない。そうして、それら作業を行うのは地元の一般人をはじめ自衛隊やボランティアであり、介護の場面においては寝たきりのご老人や傷病者の下の世話をする家族や介護人である。そのため、それら汚物処理に従事する人達にとって如何に簡便且つ衛生的に汚物を処理・管理できるかが極めて重要となる。
【００１３】
本考案の汚物処理袋はかかる点を重視して開発された結果、大量の汚物を収納した場合でも容易に袋が破損することはなく、また、抗菌効果も長期にわたって保持されるため、現実に災害が起きた場合はもちろん、来るべき災害に備える場合にも、簡便且つ衛生的な便袋として直ちに対応することが可能である。また、袋体の強度を増すために厚みのある防水性シートを採用した場合、コストが増すばかりか収納性も悪化するが、本考案ではそのような手段も採用していないため、収納性やコストが犠牲になることもない。
【図面の簡単な説明】
【００１４】
【図１】図１は汚物処理袋の実施方法を示した説明図である。（実施例１）
【図２】図２は汚物処理袋の実施方法を示した説明図である。（実施例２）
【考案を実施するための形態】
【実施例１】
【００１５】
本考案の実施形態は図１に示すとおりであり、図１は汚物処理袋を平地に広げた状態を示す平面図である。１は袋体、１ａは袋体の側部、１ｂは袋体の上端、１ｃは袋体の下端、２は吸水性シート、２ａは吸水性シートの折り畳み部、３は第１の接合部、３ａは第１の接合部の中央部、３ｂは第１の接合部の端部、４は第２の接合部、５は第１の接合部と第２の接合部の間に形成されるポケットである。
【００１６】
袋体１はポリエチレンなどの非通水性素材からなる防水性シートが用いられており、本考案では筒状に成形された連続する防水性シートを所望のサイズでカットしたものが基材として用いられる。そのため、袋体１となる基材は筒状の防水性シートが左右の側部１ａで折り畳まれ、上端１ｂと下端１ｃが開口した状態にある。
【００１７】
上端１ｂと下端１ｃが開口した状態にある袋体１は、その内部に汚物の水分を吸収するための吸水性シート２が二つ折りの状態で熱圧着等により固着されるが、その下部に第１の接合部３が形成される。具体的には、その中央部３ａが吸水性シート２の折り畳み部２ａに沿って設けられ、その両端部３ｂが開口部である上端１ｂ寄りの斜め方向に袋体１の側部１ａまで延設されることで、鍋底状に連続する第１の接合部３が設けられることになる。
【００１８】
かくして設けられた第１の接合部３により、袋体１は上端１ｂの開口部を残し、全ての方向が閉止された状態となる。なお、第１の接合部３の接合方法は敢えて特定しないが、接合の容易性から、従来から用いられている熱圧着に拠ることが望ましい。
【００１９】
第１の接合部３により、開口部である上端１ｂから袋体１の内部に収納された汚物は第１の接合部３で受け止められ、吸水性シート２によって水分が吸収されることになるが、本考案では汚物の保持をより確実なものとするため、更に第２の接合部４が形成される。具体的には、第２の接合部４は第１の接合部３の下部に形成され、第１の接合部３の中央部３ａと平行して袋体１の両側部１ａを結ぶような直線状として設けられることになる。
【００２０】
かくして第１の接合部３の下部に第２の接合部４が設けられたことで、第１の接合部３と第２の接合部４との間に密閉されたポケット５が形成され、万が一、袋体１に収納される汚物が許容量を超え、又は、乱雑に取り扱われたことで、第１の接合部３の接合が一部剥離した場合でも、汚物はポケット５内に流れ込んで流出圧が吸収・分散されると共に、ポケット５内に流出した汚物は第２の接合部４によって受け止められるため、袋体１の外部への汚物の漏出は回避されることになる。
【実施例２】
【００２１】
本考案のもう１つの実施形態は図２に示すとおりであり、図２は汚物処理袋を平地に広げた状態を示す平面図である。図中１〜５は実施例１の場合と同じである。
【００２２】
実施例２では、第１の接合部３までの構成は前説示した実施例１の場合と同一であり、第２の接合部４の設置位置のみ相違している。すなわち、第２の接合部４は実施例１では袋体１の両側部１ａを結ぶ直線状だったものが、実施例２では第２の接合部４は第１の接合部３と全体が平行して設けられている。そのため、図２に示すように、実施例２では第１の接合部３と第２の接合部４がほぼ同じ鍋底状の形状で表れている。
【００２３】
第２の接合部４を僅かな間を開けて第１の接合部３と平行に設けたことで、第１の接合部３と第２の接合部４との間に形成される密閉されたポケット５の容量は非常に小さくなり、第１の接合部３の一部が剥離した場合に受け止められる汚物の量は僅かとなるが、第２の接合部４が第１の接合部３と隣接して平行に設けられたことで、力学的に曲がり難さが増すため、両接合部周辺の同一方向へのたわみが減り、より剥離し難い構成となるため、安定的に汚物を収納することができるようになる。袋体１の破損は収納された汚物の不安定な移動により惹起される傾向があることから、たわみ強度が増したことで、接合部の剥離に拠る汚物漏出のリスクを著しく低減できる。
【実施例３】
【００２４】
本考案の別の実施形態は、図示しないが、実施例１及び実施例２の汚物処理袋であって、袋体１にポリエチレンなどのプラスチック樹脂に銀などの抗菌性金属を練り込んだ合成素材とした汚物処理袋となっている。
【００２５】
マグネシウムやリチウム、ナトリウム、ニッケルなどの金属イオンが抗菌性を備えていることは以前から知られているが、なかでも銀イオンは微量で高い抗菌性・殺菌性を得られるため、これをポリエチレンなどのプラスチック樹脂に練り込んでシート化した合成素材とすることで、抗菌剤を混入した吸水性シートを袋体の内部にセットする従来の汚物処理袋に比べ、抗菌効果を著しく持続させることが可能である。
【実施例４】
【００２６】
本考案のもう１つの実施形態は、同じく図示しないが、実施例１及び実施例２の汚物処理袋であって、袋体１の内部に銀などの抗菌性金属を水などの溶剤に分散させた抗菌剤を用いて、スプレー加工又はコーティング加工を施した汚物処理袋となっている。
【００２７】
水などの溶剤に銀などの抗菌性金属を分散させた抗菌剤は例えば、公衆浴場の浴槽水の殺菌に用いられるほど殺菌・抗菌の効果が高く、しかも人体への悪影響が殆どない。そのため、銀などの抗菌性金属をポリエチレンなどのプラスチック樹脂に練り込んだ合成素材のシートを用いた汚物処理袋でなくても、銀イオンなどを分散させた抗菌剤を袋体１の内部にスプレー加工又はコーティング加工によって塗布することでも、同等の効果を得ることができる。
【００２８】
このように、実施例１及び実施例２により接合部の剥離による汚物漏出のリスクを著しく低減することが可能となり、また、実施例３及び実施例４により袋体自体に抗菌性・殺菌性の効果を持たせることができたことで、吸水性シートに抗菌剤・殺菌剤を混入させた従来の汚物処理袋よりも遥かに長期にわたって抗菌力・殺菌力を持続させることが可能となった。その結果、災害・介護・医療・レジャーなどの場面でより簡便且つ衛生的な汚物処理が可能となり、汚物処理の従事者を強力に支援することができる。
【産業上の利用可能性】
【００２９】
本考案に係る汚物処理袋は災害時に仮設トイレや簡易トイレにセットして利用できるほか、介護や医療の場面、更にはキャンプや登山などのレジャーの場面でも、汚物処理を支援する用具として利用することができる。
【符号の説明】
【００３０】
１      袋体
１ａ    袋体の側部
１ｂ    袋体の上端
１ｃ    袋体の下端
２      吸水性シート
２ａ    吸水性シートの折り畳み部
３      第１の接合部
３ａ    第１の接合部の中央部
３ｂ    第１の接合部の端部
４      第２の接合部
５      第１の接合部と第２の接合部の間に形成されるポケット
【図１】
0003180962.tif 000003
【図２】
0003180962.tif 000004